【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
ユーザが把持するグリップ本体部と、
一方の端部側に設けた第１取付部に前記グリップ本体部が取り付けられて他方の端部側に設けた第２取付部が装置本体に取り付けられるアーム部を備え、
前記アーム部は、前記第２取付部を基点として前記装置本体に対する前記グリップ本体部の位置が移動可能に取り付けられて、
前記グリップ本体部は、前記アーム部の前記第１取付部を基点として前記装置本体に対する向きが移動可能に取り付けられた撮像装置。
【請求項２】
前記アーム部は、前記装置本体に対して所望の位置で固定可能に取り付けられており、前記グリップ本体部は、前記アーム部に対して所望の位置で固定可能に取り付けられている請求項１に記載の撮像装置。
【請求項３】
前記アーム部は、伸縮自在に構成して前記第１取付部と前記第２取付部との間隔を変更可能とした請求項１または請求項２に記載の撮像装置。
【請求項４】
前記アーム部は、前記第２取付部を軸として回動可能で、前記アーム部の回動面が前記装置本体の側面と略平行となるように前記装置本体に取り付けられている請求項１乃至請求項３の何れかに記載の撮像装置。
【請求項５】
前記グリップ本体部に前記ユーザが操作する操作部を設けた請求項１乃至請求項４の何れかに記載の撮像装置。
【請求項６】
前記操作部には、機能が固定されているスイッチと、機能が変更可能なスイッチの少なくとも何れかを設けた請求項５に記載の撮像装置。
【請求項７】
前記操作部には、焦点距離を調整するスイッチと、記録の開始または終了を指示するスイッチの少なくとも何れかを設けた請求項５または請求項６に記載の撮像装置。
【請求項８】
前記装置本体の後端の下部には、側面視において、面取り傾斜部を形成した請求項１乃至請求項７の何れかに記載の撮像装置。
【請求項９】
前記面取り傾斜部は、側面視において、円弧状の曲線縁部を有するように形成した請求項８に記載の撮像装置。
【請求項１０】
前記装置本体は、側面を外側方向に突出させて撮像レンズの光軸方向に対して筒状の形状とした請求項１乃至請求項９の何れかに記載の撮像装置。
【請求項１１】
ビューファインダ部と、
前記ビューファインダ部を保持するビューファインダ保持部をさらに備え、
前記ビューファインダ保持部は、前記装置本体から水平方向に突出した支軸を中心に前記ビューファインダ部が回動可能であって、前記支軸から前記ビューファインダ部までの距離を調整可能に保持する請求項１乃至請求項１０の何れかに記載の撮像装置。
【請求項１２】
前記ビューファインダ保持部は、前記支軸から前記ビューファインダ部までの距離の調整時に、前記装置本体と前記ビューファインダ部の水平方向を一致した状態に保つ姿勢維持機構を有する請求項１１に記載の撮像装置。
【手続補正２】
【補正対象書類名】明細書
【補正対象項目名】００１０
【補正方法】変更
【補正の内容】
【００１０】
さらに撮像装置には、ビューファインダ部と、ビューファインダ部を保持するビューファインダ保持部がさらに設けられて、ビューファインダ保持部は、装置本体から水平方向に突出した支軸を中心にビューファインダ部が回動可能であって、支軸からビューファインダ部までの距離を調整可能に保持する。また、ビューファインダ保持部には、支軸からビューファインダ部までの距離の調整時に、装置本体とビューファインダ部の水平方向を一致した状態に保つ姿勢維持機構が設けられる。
【手続補正３】
【補正対象書類名】明細書
【補正対象項目名】００２７
【補正方法】変更
【補正の内容】
【００２７】
［１−２．撮像装置の機能構成］
図１１は撮像装置１０の機能ブロック図である。装置本体３０は、撮像部３０１、映像信号処理部３０２、音声信号処理部３０３、記録再生部３０４、レンズ駆動部３０５、ファン３０６、操作部３５１、制御部３１０、電源部３１５等を備えている。
【手続補正４】
【補正対象書類名】明細書
【補正対象項目名】００３５
【補正方法】変更
【補正の内容】
【００３５】
操作部６１１は、可動グリップ部６０のグリップ本体部に設けられた操作スイッチで構成されている。操作部６１１は、ユーザのスイッチ操作に応じた操作信号を生成して制御部３１０に出力する。また、操作部６１１には、機能が固定されているスイッチと、機能が変更可能なスイッチの少なくとも何れかが設けられている。例えば、操作部６１１には、機能が固定されているスイッチとして、レンズユニット２０の焦点距離を調整するズームスイッチ、記録の開始または終了を指示するＲＥＣスイッチの少なくとも何れかが設けられている。また、操作部６１１には、機能が変更可能なスイッチであるアサイナブルボタン、アサイナブルボタンに対して機能の割り当てや割り当てられた機能を変更するための設定ボタン等が設けられている。なお、操作部６１１には電源スイッチ等が設けられていてもよい。
【手続補正５】
【補正対象書類名】明細書
【補正対象項目名】００４４
【補正方法】変更
【補正の内容】
【００４４】
アーム部６２は、一方の端部側に設けた第１取付部６２Ｇにグリップ本体部６１が取り付けられて、他方の端部側に設けた第２取付部６２Ｂが装置本体３０に取り付けられる。アーム部６２は、第２取付部６２Ｂを基点として装置本体３０に対するグリップ本体部６１の位置が移動可能に取り付けられて、グリップ本体部６１は、アーム部６２の第１取付部６２Ｇを基点として装置本体３０に対する向きが移動可能に取り付けられている。アーム部６２の第２取付部６２Ｂには図５に示すように固定レバーが設けられて、アーム部６２は、装置本体に対して所望の位置で固定可能に取り付けられる。例えば、アーム部６２は、第２取付部６２Ｂを軸として図５に示す矢印ＦＣ方向に回動可能で、アーム部６２の回動面が装置本体の側面と略平行となるように装置本体に取り付けられている。さらに、アーム部６２は、伸縮自在に構成されて、第１取付部６２Ｇと第２取付部６２Ｂとの間隔が変更可能とされている。
【手続補正６】
【補正対象書類名】明細書
【補正対象項目名】００４８
【補正方法】変更
【補正の内容】
【００４８】
図１３は、クランプ部７７の構成を例示している。クランプ部７７は、挿入された支軸３４３を保持する第１保持部７７１と、支軸３４３に対して直交する方向に支軸７６を保持する第２保持部７７２を有している。第１保持部７７１と第２保持部７７２は、軸挿入方向から見た形状が円弧状である軸把持部Ｈａと軸把持部Ｈａから外方向に伸びた締め付け部Ｈｂをそれぞれ有している。また、第１保持部７７１と第２保持部７７２の締め付け部Ｈｂは互いに直交する方向に重ね合わせられている。締め付け部Ｈｂには、例えば貫通孔（図示せず）が形成されており、第１保持部７７１と第２保持部７７２の締め付け部Ｈｂの貫通孔に固定レバー部７７３の軸が挿通されている。固定レバー部７７３の軸の一方の端部には操作レバーＨｃが形成されており、他方の端部は締め付け部Ｈｂに固定される。ここで、操作レバーＨｃを締め付け方向に回転させると、第１保持部７７１における締め付け部Ｈｂの間隔および第２保持部７７２における締め付け部Ｈｂの間隔が共に狭められる。したがって、支軸３４３が第１保持部７７１の軸把持部Ｈａによって固定されて、支軸７６が第２保持部７７２の軸把持部Ｈａによって固定される。また、操作レバーＨｃを緩み方向（締め付け方向に対して逆方向）方向に回転すると、第１保持部７７１における締め付け部Ｈｂの間隔および第２保持部７７２における締め付け部Ｈｂの間隔が共に広げられる。したがって、クランプ部７７は支軸３４３を中心として矢印ＦＤに示すように回転可能とされて、支軸７６は第１保持部７７１に対して矢印ＦＥに示すように挿脱可能とされる。このため、操作レバーＨｃを緩み方向に回転させれば、支軸３４３を軸として装置本体３０に対して支軸７６を所望の向きに調整することができる。また、装置本体３０の支軸３４３からビューファインダ部７０までの距離を所望の距離に調整することができる。さらに、調整後に操作レバーＨｃを締め付け方向に回転すれば、装置本体３０に対して支軸７６を所望の向きに固定することができ、装置本体３０の支軸３４３から所望の距離の位置でビューファインダ部７０を固定できる。
【手続補正７】
【補正対象書類名】明細書
【補正対象項目名】００５７
【補正方法】変更
【補正の内容】
【００５７】
また、本技術の撮像装置は以下のような構成も取ることができる。
（１）  ユーザが把持するグリップ本体部と、
一方の端部側に設けた第１取付部に前記グリップ本体部が取り付けられて他方の端部側に設けた第２取付部が装置本体に取り付けられるアーム部を備え、
前記アーム部は、前記第２取付部を基点として前記装置本体に対する前記グリップ本体部の位置が移動可能に取り付けられて、
前記グリップ本体部は、前記アーム部の前記第１取付部を基点として前記装置本体に対する向きが移動可能に取り付けられた撮像装置。
（２）  前記アーム部は、前記装置本体に対して所望の位置で固定可能に取り付けられており、前記グリップ本体部は、前記アーム部に対して所望の位置で固定可能に取り付けられている（１）に記載の撮像装置。
（３）  前記アーム部は、伸縮自在に構成して前記第１取付部と前記第２取付部との間隔を変更可能とした（１）または（２）の何れかに記載の撮像装置。
（４）  前記アーム部は、前記第２取付部を軸として回動可能で、前記アーム部の回動面が前記装置本体の側面と略平行となるように前記装置本体に取り付けられている（１）乃至（３）の何れかに記載の撮像装置。
（５）  前記グリップ本体部に前記ユーザが操作する操作部を設けた（１）乃至（４）の何れかに記載の撮像装置。
（６）  前記操作部には、機能が固定されているスイッチと、機能が変更可能なスイッチの少なくとも何れかを設けた（５）に記載の撮像装置。
（７）  前記操作部には、焦点距離を調整するスイッチと、記録の開始または終了を指示するスイッチの少なくとも何れかを設けた（５）または（６）に記載の撮像装置。
（８）  前記装置本体の後端の下部には、側面視において、面取り傾斜部を形成した（１）乃至（７）の何れかに記載の撮像装置。
（９）  前記面取り傾斜部は、側面視において、円弧状の曲線縁部を有するように形成した（８）に記載の撮像装置。
（１０）  前記装置本体は、側面を外側方向に突出させて撮像レンズの光軸方向に対して筒状の形状とした（１）乃至（９）の何れかに記載の撮像装置。
（１１）  ビューファインダ部と、
前記ビューファインダ部を保持するビューファインダ保持部をさらに備え、
前記ビューファインダ保持部は、前記装置本体から水平方向に突出した支軸を中心に前記ビューファインダ部が回動可能であって、前記支軸から前記ビューファインダ部までの距離を調整可能に保持する（１）乃至（１０）の何れかに記載の撮像装置。
（１２）  前記ビューファインダ保持部は、前記支軸から前記ビューファインダ部までの距離の調整時に、前記装置本体と前記ビューファインダ部の水平方向を一致した状態に保つ姿勢維持機構を有する（１１）に記載の撮像装置。